(57)【要約】【課題】異常状態をユーザが意識することなく使用でき、誤動作を十分に防ぐことができる情報処理装置を提供する。【解決手段】ユーザが手で接触センサ（１１）の電極を握って離す動作中における接触センサ（１１）の出力値の最高値と最低値との差が、所定値以上である場合には、接触センサ（１１）から出力された出力値または、接触センサ（１１）から出力された複数の出力値に基づいて、接触センサ（１１）の基準レベル値を較正する基準レベル値の設定較正手段（２３）を備えている。【選択図】図１
2015216431.tif 000002
【特許請求の範囲】
【請求項１】
把持部を把持したユーザの手が接触する位置に設けられた電極を介して、上記ユーザの手の上記電極への接触を判定する接触センサを備えた情報処理装置であって、
上記ユーザが手で上記電極を握って離す動作を行うことで上記接触センサの基準レベル値を較正できる機能を有する基準レベル値の設定較正手段を備え、
上記基準レベル値の設定較正手段は、
上記接触センサから出力された出力値または、上記接触センサから出力された複数の出力値に基づいて、上記接触センサの基準レベル値を設定するとともに、
上記接触センサから出力された出力値が上記ユーザの手が上記電極へ接触したと判定される値となった場合に上記接触センサの基準レベル値を較正する機能を有効にし、上記ユーザが手で上記電極を握って離す動作中における上記接触センサの出力値の最高値と最低値との差が、所定値以上である場合には、上記接触センサから出力された出力値または、上記接触センサから出力された複数の出力値に基づいて、上記接触センサの基準レベル値を較正し、
上記較正された接触センサの基準レベル値に基づいて設定された上記接触センサの閾値によって、上記ユーザの手の上記電極への接触有無を判定することを特徴とする情報処理装置。
【請求項２】
上記基準レベル値の設定較正手段は、上記ユーザが手で上記電極を握って離す動作後の上記接触センサの出力値が上記ユーザの手が上記電極から離れたと判定される値以上である場合には、上記接触センサの基準レベル値の較正を行わないことを特徴とする請求項１に記載の情報処理装置。
【請求項３】
上記基準レベル値の設定較正手段は、上記接触センサから出力された出力値が上記ユーザの手が上記電極へ接触したと判定される値となったタイミングから所定期間と上記接触センサの基準レベル値を較正した後と上記接触センサの出力値が上記ユーザの手が上記電極から離れたと判定される値以上である場合との何れかには、上記接触センサの基準レベル値を較正する機能を無効にすることを特徴とする請求項１または２に記載の情報処理装置。
【請求項４】
上記ユーザが手で上記電極を握って離す動作中における上記接触センサの出力値の最高値と最低値とを決定する際には、所定時間当たりの上記接触センサの出力値の変化量について、正方向変動量と、上記正方向変動量と反対方向の負方向変動量とを定義した場合に、ユーザが手で電極を握って離す動作中における上記接触センサの出力値の最低値は、所定値以上の負方向変動量を有する上記接触センサの出力値中、最小の値であり、ユーザが手で電極を握って離す動作中における上記接触センサの出力値の最高値は、所定値以上の正方向変動量を有する上記接触センサの出力値中、最大の値であることを特徴とする請求項１から３の何れか１項に記載の情報処理装置。
【請求項５】
上記基準レベル値の設定較正手段は、上記ユーザが手で上記電極を握って離す動作中における上記接触センサの出力値の最高値と最低値との差が、所定値以上である場合に、上記ユーザが手で上記電極を握って離す動作後の所定期間内に、上記接触センサの出力値が上記ユーザの手が上記電極に接触したと判断される値を下回った場合には、上記接触センサの基準レベル値の較正を行わないことを特徴とする請求項１から４の何れか１項に記載の情報処理装置。
【請求項６】
上記所定値以上の正方向変動量を有する上記接触センサの出力値が検出された後に上記所定値以上の負方向変動量を有する上記接触センサの出力値が検出された場合には、改めて上記接触センサの出力値の最高値と最低値とを決定することを特徴とする請求項４に記載の情報処理装置。
【請求項７】
把持部を把持したユーザの手が接触する位置に設けられた電極を介して、上記ユーザの手の上記電極への接触を判定する接触センサを備えた情報処理装置の制御方法であって、
上記接触センサから出力された出力値または、上記接触センサから出力された複数の出力値に基づいて、上記接触センサの基準レベル値を設定する第１のステップと、
上記接触センサから出力された出力値が上記ユーザの手が上記電極へ接触したと判定される値となった場合に上記接触センサの基準レベル値を較正する機能を有効にする第２のステップと、
上記ユーザが手で上記電極を握って離す動作中における上記接触センサの出力値の最高値と最低値との差が、所定値以上である場合には、上記接触センサから出力された出力値または、上記接触センサから出力された複数の出力値に基づいて、上記接触センサの基準レベル値を較正する第３のステップと、
上記較正された接触センサの基準レベル値に基づいて設定された上記接触センサの閾値によって、上記ユーザの手の上記電極への接触有無を判定する第４のステップと、を含むことを特徴とする情報処理装置の制御方法。
【発明の詳細な説明】
【技術分野】
【０００１】
本発明は、接触センサの検出結果に応じて、所定の処理を実行することが可能な情報処理装置に関する。
【背景技術】
【０００２】
従来、スマートフォンなどの情報処理装置に備えられたセンサによる検出結果に応じて、情報処理装置にて実行する処理を決定する技術がある。例えば、特許文献１には、情報処理装置である携帯端末の両端に静電容量センサの電極を配置し、両方の電極に触れたか否か、および触れた指の本数により、携帯端末にて実行する処理を決定する技術が開示されている。
【先行技術文献】
【特許文献】
【０００３】
【特許文献１】特開２０１１−１１９９５９号公報（２０１１年６月１６日公開）
【発明の概要】
【発明が解決しようとする課題】
【０００４】
図１５は、従来の基準レベル値の較正を示すグラフである。従来は一定期間ごとに取得される物理量の値（接触センサの出力値）に応じて接触センサの基準レベル値を較正し、較正された基準レベル値に応じて上記接触センサの閾値を変化させていた。しかしながら、従来の技術では接触センサの誤動作を十分に防ぐことができないという問題がある。
【０００５】
図１６は、異物（水など）が接触センサの電極付近に付着するなどしたときに、接触センサが反応し続ける場合を説明するための図である。
【０００６】
図示されているように、異物（水など）が接触センサの電極付近に付着するなどした場合には、接触センサの出力値が小さくなり、接触センサの閾値（把持閾値および解放閾値）を下回ってしまい、ユーザの手が接触センサの電極に触れていると判定される状態（接触センサが反応し続けるの状態）となってしまう。このような状態においては、異物（水など）が除去されるかまたは、次回のキャリブレーションが行われるまでは、実際にはユーザの手が接触センサの電極に触れてない状態にも関わらず、ユーザの手が接触センサの電極に触れていると判定される状態の期間が続く。したがって、この期間には、ユーザが手を上記電極から離す動作を認識させようとしてもできないという問題がある。
【０００７】
本発明は、上記従来の問題点に鑑みなされたものであって、その目的は、異物（水など）が接触センサの電極付近に付着するなどした場合においても、異常状態をユーザが意識することなく、使用できるとともに、誤動作を十分に防ぐことができる接触センサを備えた情報処理装置および情報処理装置の制御方法を提供することにある。
【課題を解決するための手段】
【０００８】
本発明の情報処理装置は、上記課題を解決するために、把持部を把持したユーザの手が接触する位置に設けられた電極を介して、上記ユーザの手の上記電極への接触を判定する接触センサを備えた情報処理装置であって、上記ユーザが手で上記電極を握って離す動作を行うことで上記接触センサの基準レベル値を較正できる機能を有する基準レベル値の設定較正手段を備え、上記基準レベル値の設定較正手段は、上記接触センサから出力された出力値または、上記接触センサから出力された複数の出力値に基づいて、一定の値を有する上記接触センサの基準レベル値を設定するとともに、上記接触センサから出力された出力値が上記ユーザの手が上記電極へ接触したと判定される値となった場合に上記接触センサの基準レベル値を較正する機能を有効にし、上記ユーザが手で上記電極を握って離す動作中における上記接触センサの出力値の最高値と最低値との差が、所定値以上である場合には、上記接触センサから出力された出力値または、上記接触センサから出力された複数の出力値に基づいて、上記接触センサの基準レベル値を較正し、上記較正された接触センサの基準レベル値に基づいて設定された上記接触センサの閾値によって、上記ユーザの手の上記電極への接触有無を判定することを特徴としている。
【０００９】
本発明の情報処理装置の制御方法は、上記課題を解決するために、把持部を把持したユーザの手が接触する位置に設けられた電極を介して、上記ユーザの手の上記電極への接触を判定する接触センサを備えた情報処理装置の制御方法であって、上記接触センサから出力された出力値または、上記接触センサから出力された複数の出力値に基づいて、一定の値を有する上記接触センサの基準レベル値を設定する第１のステップと、上記接触センサから出力された出力値が上記ユーザの手が上記電極へ接触したと判定される値となった場合に上記接触センサの基準レベル値を較正する機能を有効にする第２のステップと、上記ユーザが手で上記電極を握って離す動作中における上記接触センサの出力値の最高値と最低値との差が、所定値以上である場合には、上記接触センサから出力された出力値または、上記接触センサから出力された複数の出力値に基づいて、上記接触センサの基準レベル値を較正する第３のステップと、上記較正された接触センサの基準レベル値に基づいて設定された上記接触センサの閾値によって、上記ユーザの手の上記電極への接触有無を判定する第４のステップと、を含むことを特徴としている。
【発明の効果】
【００１０】
本発明は、上記従来の問題点に鑑みなされたものであって、その目的は、異常状態をユーザが意識することなく、使用できるとともに、誤動作を十分に防ぐことができる接触センサを備えた情報処理装置および情報処理装置の制御方法を実現できる。
【図面の簡単な説明】
【００１１】
【図１】携帯端末（情報処理装置）の要部構成の一例を示すブロック図である
【図２】図１に図示した本実施形態に係る携帯端末（情報処理装置）の外観を示す概略図である。
【図３】実施形態１の基準レベル値の較正を説明するための図である。
【図４】実施形態１の基準レベル値の較正を説明するためのフローチャートである。
【図５】実施形態２の基準レベル値の較正を説明するための図である。
【図６】実施形態２の基準レベル値の較正を説明するためのフローチャートである。
【図７】実施形態３の基準レベル値の較正を説明するための図である。
【図８】実施形態３の基準レベル値の較正を説明するためのフローチャートである。
【図９】実施形態４の基準レベル値の較正を説明するための図である。
【図１０】実施形態４の基準レベル値の較正を説明するためのフローチャートである。
【図１１】実施形態５の基準レベル値の較正を説明するための図である。
【図１２】実施形態５の基準レベル値の較正を説明するためのフローチャートである。
【図１３】実施形態６の基準レベル値の較正を説明するための図である。
【図１４】実施形態６の基準レベル値の較正を説明するためのフローチャートである。
【図１５】従来の基準レベル値の較正を示すグラフである。
【図１６】異物が接触センサの電極付近に付着した場合を説明するための図である。
【発明を実施するための形態】
【００１２】
以下、本発明の実施形態について、詳細に説明する。以下の特定の項目（実施形態）における構成について、それが他の項目で説明されている構成と同じである場合は、説明を省略する場合がある。また、説明の便宜上、各項目に示した部材と同一の機能を有する部材については、同一の符号を付し、適宜その説明を省略する。
【００１３】
また、以下の説明では情報処理装置の一例として携帯端末を例に、また把持部として携帯端末の筺体を例にして説明するが、これに限定されるものではなく、人が把持する部分を有する機器であれば本発明を適用できる。情報処理装置としては、例えば、スマートフォン、携帯電話、タブレット端末、リモコン、ドライヤー、掃除機、その他ハンドルで操作する情報処理装置等が含まれる。情報処理装置は、把持の有無に応じた処理を行う。
【００１４】
〔実施形態１〕
図２は、本実施形態に係る携帯端末（情報処理装置）１の外観を示す概略図である。携帯端末１は、筐体の少なくとも１つの面に表示部１０（タッチパネル等）を備えている。なお、表示部１０を備える面を携帯端末１の「正面」と呼称する。また、携帯端末１は、携帯端末１の筐体を把持したユーザの手が携帯端末１に接触する位置に、接触センサ１１を備えている。例えば、図２に示すように、携帯端末１は、上記正面の長辺と隣接する２つの面（当該２つの面を携帯端末１の「側面」と呼称する）に、それぞれ１つずつの接触センサ１１を備えている。なお、接触センサ１１の数、および、接触センサ１１が配置される範囲は、図２に示すような例に限定されず、例えば、接触センサ１１が上記各側面に複数配置されてもよいし、接触センサ１１が側面全体に配置されてもよい。接触センサ１１は、筐体の外に露出してもよいし、筐体の中に配置されていてもよい。換言すれば、接触センサ１１は、筐体を把持したユーザの手の位置に対応する位置に設けられていればよい。
【００１５】
図１は、携帯端末１の要部構成の一例を示すブロック図である。携帯端末１は、接触センサ１１、把持判定部１２（把持判定装置）、およびホスト制御部１３を備える。なお、図１では図面の見やすさを考慮し、一部矢印を省略している。
【００１６】
接触センサ１１は、ユーザの手などの物体の接触を検出するセンサである。本実施形態では、接触センサ１１は静電容量センサであるが、この例に限定されるものではない。接触センサ１１として、圧力センサ、光センサなどを使用することもできる。なお、静電容量センサは、静電容量センサとユーザの手との間に筐体が介在しても、手の近接（筐体と手との接触）を検出することができる。接触センサ１１は、把持判定部１２からの指示に基づいて、物体の接触の有無に応じたセンサの出力値を把持判定部１２に出力する。具体的には接触センサ１１は、筐体の側面に配置された電極の静電容量の変化に応じたセンサの出力値を、把持判定部１２に出力する。例えば、接触センサ１１の出力信号の電位をセンサの出力値とする場合、筐体が把持されたときに電位が下降するか上昇するかは接触センサの種類によって異なる。ここでは、説明を統一するため、筐体が把持されるに伴ってセンサの出力値が変化する方向を、負方向と定義する。すなわち、筐体が把持されたときのセンサの出力値は、把持されていないときのセンサの出力値より小さい。
【００１７】
ホスト制御部１３は、携帯端末１のホスト側の制御を主に担う。ホスト制御部１３は、例えば表示部１０の制御を行う。ホスト制御部１３は、把持判定部１２における把持の有無の判定結果に応じて、表示部１０の表示を変更する。
【００１８】
把持判定部１２は、センサ制御部２１、接触判定部２２、および基準レベル値の設定較正部２３を備える。また、把持判定部１２は、記憶部（図示せず）を備える。記憶部は、基準レベル値（基準値）、把持閾値、および解放閾値などを記憶する。把持判定部１２の各部は、記憶部からこれらの記憶された値を読み書きすることができる。
【００１９】
基準レベル値は、筐体がユーザに把持されていないときのセンサの出力値を表すためのものである。把持閾値は、筐体が把持されていることを判定するための閾値である。解放閾値は、把持から解放された（手が離れた）ことを判定するための閾値である。例えば、把持閾値は、基準レベル値より小さい値に設定される。解放閾値は、基準レベル値より小さく、かつ把持閾値より大きい値に設定される。基準レベル値と把持閾値との差および基準レベル値と解放閾値との差は、あらかじめ設定されている。すなわち基準レベル値が決まれば、それに応じて把持閾値および解放閾値は自ずと決まる。このように、基準レベル値は、把持の有無を判定するための基準（把持閾値、解放閾値）を与えるために変更可能に設定される変数である。以下では、把持閾値と解放閾値とが同じ値である場合を例に挙げて説明するが、把持閾値と解放閾値とは異なる値に設定されていてもよい。
【００２０】
センサ制御部２１は、所定のタイミングで接触センサ１１を動作させ、接触センサ１１の出力としてセンサの出力値を取得する。センサ制御部２１は、一定期間ごとに接触センサ１１からセンサの出力値を取得する。接触センサ１１が複数ある場合、センサ制御部２１は、一定期間ごとにそれぞれの接触センサ１１からセンサの出力値を取得する。センサ制御部２１は、取得したセンサの出力値を接触判定部２２に出力する。
【００２１】
接触判定部２２は、センサの出力値と把持閾値とを比較し、センサの出力値が把持閾値より小さくなった場合、ユーザの手が（筐体を介して）接触センサ１１の電極に接触していると判定する。また、接触判定部２２は、現時点で接触センサ１１が接触状態であることを記憶する。さらに、接触判定部２２は、センサの出力値と解放閾値とを比較し、センサの出力値が解放閾値より大きくなった場合、ユーザの手が接触センサ１１の電極から離れた（把持から解放された）と判定する。また、接触判定部２２は、現時点で接触センサ１１が非接触状態であることを記憶する。センサの出力値が把持閾値以上かつ解放閾値以下の場合、接触判定部２２は、直前の状態（接触状態または非接触状態）が継続していると判定し、その状態を記憶し続ける。
【００２２】
接触判定部２２は、複数の（両側の）接触センサ１１が接触状態である場合、ユーザの手が筐体（携帯端末１）を把持していると判定する。例えば、片方の側面の接触センサ１１だけが接触状態で、他方の側面の接触センサ１１が非接触状態の場合、接触判定部２２は、ユーザの手が筐体を把持していないと判定してもよい。なお、携帯端末１に設けられた接触センサ１１が１つだけの場合、接触判定部２２は、その接触センサ１１の接触状態に基づいて把持の有無を判定する。接触判定部２２は、把持の有無の判定結果情報を、ホスト制御部１３に出力する。
【００２３】
基準レベル値の設定較正部２３は、所定のタイミングでセンサ制御部２１からセンサの出力値を取得し、センサの出力値に基づいて基準レベル値を設定および較正する。基準レベル値の設定較正部２３は、所定の条件を満たした場合には、上記一定期間（第１期間）中に、上記基準レベル値の較正を行う。また、基準レベル値の設定較正部２３は、携帯端末１の電源がオンになった時、および、把持判定の機能がオンに設定された時などにも基準レベル値の設定を新たに行う。基準レベル値の設定較正部２３は、センサの出力値を複数回取得し、複数のセンサの出力値の平均値（または中間値）を基準レベル値として設定してもよく、１つのセンサの出力値に基づいて基準レベル値を設定してもよい。
【００２４】
図３は、携帯端末１に備えられた基準レベル値の設定較正部２３によって行われる本実施形態の基準レベル値の較正を説明するための図である。
【００２５】
基準レベル値の設定較正部２３は、従来と同様に第１期間ごとに接触センサの基準レベル値を新たに設定するようになっている。このように、第１期間ごとに基準レベル値を変更すると、それに追従して、接触センサの閾値（把持閾値および解放閾値）も変更されるので、温度などの環境変化に応じて、非接触時のセンサの出力値を表すための基準レベル値を設定できる。しかしながら、異物（水など）が接触センサの電極付近に付着するなどした場合には、接触センサの出力値が小さくなり、接触センサの閾値を下回ってしまい、異物（水など）が除去されるかまたは、次回のキャリブレーションが行われるまでは、実際、ユーザの手が接触センサの電極に触れてない状態にも関わらず、ユーザの手が接触センサの電極に触れていると判定される状態の期間が続く場合がある。
【００２６】
そこで、基準レベル値の設定較正部２３においては、上記第１期間中にも、接触センサの基準レベル値を較正することができるようになっている。すなわち、基準レベル値の設定較正部２３は、上記ユーザが手で上記電極を握って離す動作を行うことで上記接触センサの基準レベル値を較正できる機能を有する。
【００２７】
そして、基準レベル値の設定較正部２３は、(i)第１期間が始まるタイミングにおける上記接触センサから出力された出力値または、(ii)上記第２期間より前の期間の上記接触センサの複数の出力値に基づいて、一定の値を有する上記第１期間の上記接触センサの基準レベル値を設定するとともに、上記接触センサから出力された出力値が上記ユーザの手が上記電極へ接触したと判定される値となった場合に上記接触センサの基準レベル値を較正する機能を有効にするようになっている。
【００２８】
さらに、基準レベル値の設定較正部２３は、上記ユーザが手で上記電極を握って離す動作中における上記接触センサの出力値の最高値と最低値との差が、所定値以上である場合には、上記第１期間中の一部の期間である第２期間の一定の値を有する上記接触センサの基準レベル値を、(iii)上記第２期間が始まるタイミングにおける上記接触センサから出力された出力値または、(iv)上記第２期間より前の期間の上記接触センサの複数の出力値に基づいて較正するようになっている。
【００２９】
上記第１期間において、上記ユーザが手で上記電極を握って離す動作中における上記接触センサの出力値の最高値と最低値との差が、所定値以上であるかを判断することによって、上記接触センサの基準レベル値が適切な値であるかを判断することになる。
【００３０】
なお、次の動作に影響がないようにするため、直ぐ上記接触センサの基準レベル値の較正を行うためには、上記第２期間が始まるタイミングにおける上記接触センサから出力された出力値に基づいて較正することが好ましい。
【００３１】
そして、接触判定部２２においては、上記第２期間における上記接触センサの基準レベル値に基づいて設定された上記第２期間における上記接触センサの閾値によって、上記ユーザの手の上記接触センサの電極への接触有無を判定するようになっている。
【００３２】
図４は、本実施形態の基準レベル値の較正を説明するためのフローチャートである。
【００３３】
図４に図示されているように、先ず、上記接触センサから出力された出力値がユーザの手が上記電極へ接触したと判定される値であるか、すなわち、上記接触センサから出力された出力値が上記接触センサの閾値を下回っているかを判断するステップ（Ｓ１）を行う。そして、上記接触センサから出力された出力値が上記接触センサの閾値を下回っている場合には、基準レベル値の設定較正部２３における上記接触センサの基準レベル値を較正する機能を有効にする。
【００３４】
そして、ユーザの手が上記電極を握って離す動作中における上記接触センサの出力値の最低値を記憶するステップ（Ｓ２）を行う。
【００３５】
それから、上記最低値記憶後の上昇値を最高値として記憶するステップ（Ｓ３）を行う。
【００３６】
それから、ステップ（Ｓ２）およびステップ（Ｓ３）において記憶した上記接触センサの出力値の最低値と、最高値と、の差Ａが、上記接触センサの基準レベル値を較正する基準値Ｂより大きいかを判断するステップ（Ｓ４）を行う。ＡがＢより大きい場合には、上記接触センサの基準レベル値を較正するステップ（Ｓ５）に進み、上記接触センサの基準レベル値を較正した後、通常動作を行うステップ（Ｓ６）に進む。なお、上記通常動作とは、基準レベル値の設定較正部２３における上記接触センサの基準レベル値を較正する機能が無効にされている状態での動作をいう。一方、ＡがＢ以下である場合には、ＡがＢより大きくなるまで、ユーザの手が上記電極を握って離す動作中における上記接触センサの出力値の新たな最高値を探し続ける。
【００３７】
なお、図４に示すフローは、上記第１期間ごとに繰り返され、各第１期間の最後まで、上記接触センサの出力値が上記接触センサの閾値を下回らなかったり、ＡがＢより大きくならなかった場合には、接触センサの基準レベル値を較正せず、フローを終了させる。
【００３８】
また、上記ステップ（Ｓ１）から上記ステップ（Ｓ６）の何れも基準レベル値の設定較正部２３内で行ってもよいし、上記ステップ（Ｓ５）および上記ステップ（Ｓ６）のみを基準レベル値の設定較正部２３内で行って、上記ステップ（Ｓ１）から上記ステップ（Ｓ４）は基準レベル値の設定較正部２３外で行ってもよい。
【００３９】
なお、上記第１期間の上記接触センサの基準レベル値を較正した場合には、上記第１期間の次の期間においては、上記接触センサの基準レベル値を較正する機能は無効とし、上記接触センサの基準レベル値の較正を行わないようにしてもよい。すなわち、上記第２期間の上記接触センサの基準レベル値（較正後の上記接触センサの基準レベル値）を上記第１期間の次の期間の上記接触センサの基準レベル値として設定してもよい。
【００４０】
上記構成によれば、異物（水など）が接触センサの電極付近に付着するなどした場合においても、ユーザが手で上記電極を握って離す動作により接触センサの基準レベル値を較正することができるので、異常状態をユーザが意識することなく、使用できるとともに、誤動作を十分に防ぐことができる情報処理装置を実現できる。
【００４１】
〔実施形態２〕
図５は、携帯端末１に備えられた基準レベル値の設定較正部２３によって行われる本実施形態の基準レベル値の較正を説明するための図である。
【００４２】
図示されているように、ユーザが手で電極を握って離す動作中における接触センサの出力値の最高値と最低値との差Ａは上記接触センサの基準レベル値を較正する基準値Ｂより大きいが、ユーザが手で電極を握って離したタイミングにおける上記接触センサの出力値は、接触センサの閾値（解放閾値）を上回っており、第１期間中にユーザの手は電極を完全に離したと判断される場合である。
【００４３】
このような場合には、上記接触センサの基準レベル値を較正する機能は無効となり、上記接触センサの基準レベル値を較正せず、予め設定された第１期間の接触センサの基準レベル値がそのまま維持される。
【００４４】
一方、ユーザが手で電極を握って離したタイミングにおける上記接触センサの出力値が接触センサの閾値（解放閾値）を下回っている場合には、上述した実施形態１のように上記接触センサの基準レベル値を較正するようになっている。
【００４５】
図６は、本実施形態の基準レベル値の較正を説明するためのフローチャートである。
【００４６】
なお、図６のステップ（Ｓ１１）からステップ（Ｓ１４）までは、上述した実施形態１における図４のステップ（Ｓ１）からステップ（Ｓ４）と同じであるため、ここでは、説明を省略する。
【００４７】
ステップ（Ｓ１４）において、ＡがＢより大きい場合には、上記接触センサの出力値の最高値が上記接触センサの閾値（解放閾値）を上回ったかを判断するステップ（Ｓ１５）に進む。一方、ＡがＢ以下である場合には、ＡがＢより大きくなるまで、ユーザの手が上記電極を握って離す動作中における上記接触センサの出力値の新たな最高値を探し続ける。
【００４８】
ステップ（Ｓ１５）において、上記接触センサの出力値の最高値が上記接触センサの閾値（解放閾値）を上回ったと判断された場合には、上記接触センサの基準レベル値を較正せず、通常動作を行うステップ（Ｓ１７）に進む。
【００４９】
一方、ステップ（Ｓ１５）において、上記接触センサの出力値の最高値が上記接触センサの閾値（解放閾値）を上回ってないと判断された場合には、上記接触センサの基準レベル値を較正するステップ（Ｓ１６）に進み、上記接触センサの基準レベル値を較正した後、通常動作を行うステップ（Ｓ１７）に進む。
【００５０】
なお、図６に示すフローは、上記第１期間ごとに繰り返され、各第１期間の最後まで、上記接触センサの出力値が上記接触センサの閾値を下回らなかったり、ＡがＢより大きくならなかった場合には、接触センサの基準レベル値を較正せず、フローを終了させる。
【００５１】
上記構成によれば、ユーザの手が電極から離れた場合などの接触センサの基準レベル値の較正が不要な場合において、接触センサの基準レベル値を較正しないので、情報処理装置の処理負担を低減させることができる。
【００５２】
〔実施形態３〕
図７は、携帯端末１に備えられた基準レベル値の設定較正部２３によって行われる本実施形態の基準レベル値の較正を説明するための図である。
【００５３】
図示されているように、基準レベル値の設定較正部２３は、上記接触センサから出力された出力値が上記ユーザの手が上記電極へ接触したと判定される値となったタイミング、すなわち、上記接触センサから出力された出力値が上記接触センサの閾値を下回ってから、所定期間（待ち状態期間）後に上記接触センサの基準レベル値を較正できる機能を有効にしている。
【００５４】
ユーザの携帯端末１への入力操作は、通常、待ち状態期間なしで行われる場合が多いので、上記接触センサから出力された出力値が上記接触センサの閾値を下回ってから、このように所定期間（待ち状態期間）を設けることにより、ユーザの携帯端末１への入力操作と上記接触センサの基準レベル値を較正する目的で行われるユーザが手で上記電極を握って離す動作とを区別することができる。
【００５５】
図８は、本実施形態の基準レベル値の較正を説明するためのフローチャートである。
【００５６】
図８におけるステップ（Ｓ２１）、ステップ（Ｓ２３）、ステップ（Ｓ２４）およびステップ（Ｓ２５）は、上述した実施形態１における図４のステップ（Ｓ１）からステップ（Ｓ４）と同じであるため、ここでは説明を省略する。
【００５７】
ステップ（Ｓ２１）において、上記接触センサから出力された出力値がユーザの手が上記電極へ接触したと判定される値である場合には、上記接触センサから出力された出力値が上記接触センサの閾値を下回った後、設定された時間（待ち状態期間）が過ぎたかを判断するステップ（Ｓ２２）に進む。設定された時間（待ち状態期間）が過ぎた場合には、基準レベル値の設定較正部２３における上記接触センサの基準レベル値を較正する機能を有効にし、ユーザの手が上記電極を握って離す動作中における上記接触センサの出力値の最低値を記憶するステップ（Ｓ２３）を行い、一方、設定された時間（待ち状態期間）が過ぎてない場合には、基準レベル値の設定較正部２３における上記接触センサの基準レベル値を較正する機能を無効のままにする。
【００５８】
それから、ステップ（Ｓ２５）において、ＡがＢより大きい場合には、上記接触センサの基準レベル値を較正するステップ（Ｓ２６）に進み、上記接触センサの基準レベル値を較正した後、通常動作を行うステップ（Ｓ２７）に進む。一方、ＡがＢ以下である場合には、ＡがＢより大きくなるまで、ユーザの手が上記電極を握って離す動作中における上記接触センサの出力値の新たな最高値を探し続ける。
【００５９】
なお、図８に示すフローは、上記第１期間ごとに繰り返され、各第１期間の最後まで、上記接触センサの出力値が上記接触センサの閾値を下回らなかったり、上記接触センサから出力された出力値が上記接触センサの閾値を下回った後、設定された時間（待ち状態期間）が過ぎなかったり、ＡがＢより大きくならなかった場合には、接触センサの基準レベル値を較正せず、フローを終了させる。
【００６０】
上記構成によれば、ユーザの携帯端末１への入力操作と上記接触センサの基準レベル値を較正する目的で行われるユーザが手で上記電極を握って離す動作とを区別することができる接触センサを備えた情報処理装置を実現できる。
【００６１】
なお、本実施形態においては、上述した実施形態１に、上記接触センサから出力された出力値が上記ユーザの手が上記電極へ接触したと判定される値となったタイミングから、所定期間後に上記接触センサの基準レベル値を較正できる機能を有効にする条件を加えた場合について説明したが、これに限定されることなく、上述した実施形態２に、この条件を加えてもよい。
【００６２】
〔実施形態４〕
図９は、携帯端末１に備えられた基準レベル値の設定較正部２３によって行われる本実施形態の基準レベル値の較正を説明するための図である。
【００６３】
図示されているように、ユーザが手で電極を握って離す動作中における上記接触センサの出力値の最高値と最低値とを決定する際には、ユーザの携帯端末１への入力操作の可能性が高い、所定時間当たりの上記接触センサの出力値の変化量が所定値α未満である上記接触センサの出力値は、上記最高値および上記最低値とはしないようになっている。すなわち、上記所定時間当たりの上記接触センサの出力値の変化量について、正方向変動量と、上記正方向変動量と反対方向の負方向変動量とを定義した場合に、ユーザが手で電極を握って離す動作中における上記接触センサの出力値の最低値は、所定値α以上の負方向変動量を有する上記接触センサの出力値中、最小の値であり、ユーザが手で電極を握って離す動作中における上記接触センサの出力値の最高値は、所定値β以上の正方向変動量を有する上記接触センサの出力値中、最大の値である。
【００６４】
なお、ユーザが手で電極を握って離す動作中における上記接触センサの出力値の最高値と最低値とを決定する際には、所定値β以上の正方向変動量を有する上記接触センサの出力値が検出された後に、所定値α以上の負方向変動量を有する上記接触センサの出力値が検出された場合には、改めて上記接触センサの出力値の最高値と最低値とを決定することが好ましい。所定値β以上の値が検出された後に所定値α以上の負方向の変動値が検出された場合はユーザの携帯端末１への入力操作の可能性が高いためである。
【００６５】
それから、基準レベル値の設定較正部２３は、上記ユーザが手で上記電極を握って離す動作中における上記接触センサの出力値の最高値と最低値との差が、所定値以上である場合には、上記第１期間中の一部の期間である第２期間の一定の値を有する上記接触センサの基準レベル値を、(i)上記第２期間が始まるタイミングにおける上記接触センサから出力された出力値または、(ii)上記第２期間より前の期間の上記接触センサの複数の出力値に基づいて較正するようになっている。
【００６６】
図１０は、本実施形態の基準レベル値の較正を説明するためのフローチャートである。
【００６７】
図１０に図示されているステップ（Ｓ３１）は上述した実施形態１の図４のステップ（Ｓ１）と同じであるため、ここでは説明を省略する。
【００６８】
ステップ（Ｓ３１）において、上記接触センサから出力された出力値が上記接触センサの閾値を下回った場合に、基準レベル値の設定較正部２３における上記接触センサの基準レベル値を較正する機能を有効にする。
【００６９】
そして、所定値α以上の負方向変動量を有する上記接触センサの出力値が検出されたか、すなわち、最低値の更新があったかを判断するステップ（Ｓ３２）を行う。所定値α以上の値が検出されなかった場合には、再度最低値の更新があったかを判断するステップ（Ｓ３２）を行う。一方、所定値α以上の値が検出された場合には、所定値β以上の正方向変動量を有する上記接触センサの出力値が検出されたか、すなわち、最高値の更新があったかを判断するステップ（Ｓ３３）を行う。
【００７０】
所定値β以上の値が検出されなかった場合には、更なる所定値α以上の値の更新が予想されるため、最低値の更新があったかを判断するステップ（Ｓ３２）に戻る。一方、所定値β以上の値が検出された場合には、ステップ（Ｓ３２）で更新された最低値が最小の値であるため、ステップ（Ｓ３４）に進み、現在の最低値の絶対値をＹ１とし、検出された所定値β以上の値を最高値として記憶する。
【００７１】
そして、最高値の更新はあり、最低値の更新はなかった場合にはステップ（Ｓ３７）に進み、上記接触センサの出力値の最高値と最低値との差が、上記接触センサの基準レベル値を較正する基準値Ｂより大きいかを判断し、基準値Ｂより大きい場合には、上記接触センサの基準レベル値を較正するステップ（Ｓ３８）に進み、上記接触センサの基準レベル値を較正した後、通常動作を行うステップ（Ｓ３９）に進む。一方、基準値Ｂより大きくない場合には、ステップ（Ｓ３５）に移り、最高値の更新を待つ。
【００７２】
最高値の更新があった場合には最低値の更新があったかを判断するステップ（Ｓ３６）を行い、最低値の更新があった場合にはユーザの携帯端末１への入力操作の可能性が高いため、ステップ（Ｓ３３）に戻る。
【００７３】
一方、ステップ（Ｓ３６）において最低値の更新がない場合には、ステップ（Ｓ３７）に進み、再度上記接触センサの出力値の最高値と最低値との差が、上記接触センサの基準レベル値を較正する基準値Ｂより大きいかを判断し基準値Ｂより大きい場合には、上記接触センサの基準レベル値を較正するステップ（Ｓ３８）に進み、上記接触センサの基準レベル値を較正した後、通常動作を行うステップ（Ｓ３９）に進む。一方、基準値Ｂより大きくない場合には、ステップ（Ｓ３５）に戻り、最高値の更新を待つ。
【００７４】
すなわち、本実施の形態の携帯端末１は、ユーザが手で上記電極を握って離す動作中における上記接触センサの出力値の最高値と最低値とを決定する際に、握った反応量の所定値をα、離した反応量の所定値をβとしたときに、α以上の負方向変動量を有する上記接触センサの出力値を最後に観測したタイミングの接触センサの出力値を最低値とし、それから所定値β以上の正方向変動量を有する上記接触センサの出力値を最高値として更新し、途中α以上の負方向変動量を有する上記接触センサの出力値を検出した場合、上記最低値を更新し、またそこから上記最高値を更新し、接触センサの出力値の変化量を確認していき、該変化量が、所定値未満である限り、上記接触センサの基準レベル値を較正は行わないようになっている。
【００７５】
なお、図１０に示すフローは、上記第１期間ごとに繰り返され、各第１期間の最後まで、上記接触センサの出力値が上記接触センサの閾値を下回らなかったり、所定値α以上の値が検出されなかった場合には、接触センサの基準レベル値を較正せず、フローを終了させる。
【００７６】
上記構成によれば、ユーザの携帯端末１への入力操作と上記接触センサの基準レベル値を較正する目的で行われるユーザが手で上記電極を握って離す動作とを区別することができる接触センサを備えた情報処理装置を実現できる。
【００７７】
なお、本実施形態においては、筐体が把持されるに伴ってセンサの出力値が変化する方向を、負方向とした場合について説明したが、筐体が把持されるに伴ってセンサの出力値が変化する方向を正方向とした場合においてユーザが手で上記電極を握って離す動作中における上記接触センサの出力値の最高値と最低値とを決定する際には、所定値以上の負方向変動量を有する上記接触センサの出力値が検出された場合には、所定値以上の正方向変動量を有する上記接触センサの出力値中、最大の値を最高値とし、所定値以上の負方向変動量を有する上記接触センサの出力値中、最小の値を最低値とすればよい。
【００７８】
なお、本実施形態はこれに限定されることなく、上述した実施形態１〜３と適宜組み合わせることができるのは勿論である。
【００７９】
〔実施形態５〕
図１１は、携帯端末１に備えられた基準レベル値の設定較正部２３によって行われる本実施形態の基準レベル値の較正を説明するための図である。
【００８０】
図示されているように、基準レベル値の設定較正部２３は、ユーザが手で電極を握って離す動作中における上記接触センサの出力値の最高値と最低値との差が、所定値以上であっても、上記接触センサの出力値が、ユーザが電極を握って離した後の一定期間の間、基準値（Ｚ値）より大きい場合が継続される場合にのみ、上記第１期間中の一部の期間である第２期間の一定の値を有する上記接触センサの基準レベル値を、(i)上記第２期間が始まるタイミングにおける上記接触センサから出力された出力値または、(ii)上記第２期間より前の期間の上記接触センサの複数の出力値に基づいて較正するようになっている。すなわち、上記接触センサの出力値が、ユーザが電極を握って離した後の設定した期間の間に、基準値（Ｚ値）より下回った場合には、上記接触センサの基準レベル値の較正は行われない。
【００８１】
上記接触センサの出力値が、ユーザが電極を握って離した後の一定期間の間に、基準値（Ｚ値）より下回った場合は、ユーザが電極を握って離した動作がユーザの携帯端末１への入力操作である可能性が高いため、上記接触センサの基準レベル値の較正を行わないのである。
【００８２】
図１２は、本実施形態の基準レベル値の較正を説明するためのフローチャートである。
【００８３】
なお、図１２におけるステップ（Ｓ４１）からステップ（Ｓ４７）までは、上述した実施形態４の図１０におけるステップ（Ｓ３１）からステップ（Ｓ３７）と同じであるため、ここではその説明を省略する。
【００８４】
ステップ（Ｓ４７）において、現在の最高値と最低値Ｙ１との差が上記接触センサの基準レベル値を較正する基準値Ｂより大きい場合には、上記接触センサの出力値が、ユーザが電極を握って離した後、設定した期間の間、基準値（Ｚ値）より大きい状態が続いたかを判断するステップ（Ｓ４８）に進み、基準値（Ｚ値）より大きい状態が続いた場合には、上記接触センサの基準レベル値を較正するステップ（Ｓ４９）に進み、上記接触センサの基準レベル値を較正した後、通常動作を行うステップ（Ｓ５０）に進む。一方、ステップ（Ｓ４８）において、基準値（Ｚ値）より大きい状態が設定した期間の間続かなかった場合には、ステップ（Ｓ４２）に戻り、最低値および最高値を再度確認する。
【００８５】
なお、図１２に示すフローは、上記第１期間ごとに繰り返され、各第１期間の最後まで、上記接触センサの出力値が上記接触センサの閾値を下回らなかったり、所定値α以上の値が検出されなかったり、上記接触センサの出力値がユーザが電極を握って離した後の一定期間の間、基準値（Ｚ値）を下回ったりした場合には、接触センサの基準レベル値を較正せず、フローを終了させる。
【００８６】
上記構成によれば、ユーザの携帯端末１への入力操作と上記接触センサの基準レベル値を較正する目的で行われるユーザが手で上記電極を握って離す動作とを区別することができる接触センサを備えた情報処理装置を実現できる。
【００８７】
なお、本実施形態は上述した実施形態４に上記接触センサの出力値が、ユーザが電極を握って離した後の一定期間の間、基準値（Ｚ値）より大きい場合が継続されるかという条件を加えている場合について説明したが、これに限定されることはなく、上述した実施形態１〜３の何れかに上記条件を加えてもよい。
【００８８】
〔実施形態６〕
上述した実施形態１〜５においては、一つの接触センサの動作について説明したが、本実施形態においては、二つの接触センサが関連して動作する場合を例に挙げて説明する。
【００８９】
図１３は、携帯端末１に備えられた基準レベル値の設定較正部２３によって行われる本実施形態の基準レベル値の較正を説明するための図である。図１３（ａ）は第１接触センサの場合を示しており、図１３（ｂ）は第２接触センサの場合を示している。
【００９０】
図１３（ａ）に図示されているように、第１接触センサの出力値が環境の変化などにより、急に上昇する場合がある。これに伴い、第１接触センサの基準レベル値が第１接触センサの出力値に追従補正され、補正された第１接触センサの基準レベル値が適切でない場合が生じることがある。一方、図１３（ｂ）に図示されているように、第２接触センサにおいてはこのような問題が発生しないとした場合としている。
【００９１】
そして、基準レベル値の設定較正部２３においては、第１接触センサの出力値が第１接触センサの閾値を下回り、かつ、第２接触センサの出力値が第２接触センサの閾値を下回った場合に、上記接触センサの基準レベル値を較正する機能を有効とするようになっている。図１３における有効期間は上記接触センサの基準レベル値を較正する機能が有効である期間であり、無効期限は上記接触センサの基準レベル値を較正する機能が無効である期間である。したがって、ユーザが第１接触センサの電極と第２接触センサの電極との両方を握った際に、上記接触センサの基準レベル値を較正する機能が有効になるようになっている。
【００９２】
なお、本実施形態においては、ユーザの携帯端末１への入力操作と上記接触センサの基準レベル値を較正する目的で行われるユーザが手で上記電極を握って離す動作とを区別するため、ユーザが第１接触センサの電極と第２接触センサの電極との両方を握った状態が所定期間以上続いた場合に上記接触センサの基準レベル値を較正する機能が有効になるようにしているが、この条件は省くこともでき、さらには、ユーザが第１接触センサの電極と第２接触センサの電極との少なくとも一方を握った状態が所定期間以上続いた場合に上記接触センサの基準レベル値を較正する機能が有効になるようにしてもよい。
【００９３】
それから、基準レベル値の設定較正部２３は、上記ユーザが手で上記電極を握って離す動作中における上記接触センサの出力値の最高値と最低値との差Ａが、接触センサの基準レベル値を較正する基準値Ｂ以上である場合には、上記接触センサの基準レベル値を、(i)現タイミングにおける上記接触センサから出力された出力値または、(ii)現タイミングより前の期間の上記接触センサの複数の出力値に基づいて較正するようになっている。
【００９４】
第１接触センサおよび第２接触センサ中、上記接触センサの出力値の最高値と最低値との差Ａが、接触センサの基準レベル値を較正する基準値Ｂ以上であるセンサについてのみ上記接触センサの基準レベル値を較正するようになっている。
【００９５】
なお、本実施形態においては、上記接触センサの基準レベル値を較正した後に、第１接触センサおよび第２接触センサの出力値が、それぞれの接触センサの閾値を上回ったかを判断し、上回ってない場合には、上記接触センサの基準レベル値を較正する機能を有効にしたまま、再度、上記接触センサの基準レベル値を較正するかを判断するようになっている。
【００９６】
図１３（ｂ）に図示されているように、第２接触センサの場合のように、ユーザが第２接触センサの電極を握って離した際に、第２接触センサの出力値が第２接触センサの閾値を上回っている場合には、第２接触センサについては上記接触センサの基準レベル値を較正しなくてもよい。
【００９７】
また、実施形態４で上述したユーザの携帯端末１への入力操作と上記接触センサの基準レベル値を較正する目的で行われるユーザが手で上記電極を握って離す動作とを区別する方法を取り入れてもよい。
【００９８】
さらに、実施形態５で上述したように、上記接触センサの出力値が、ユーザが電極を握って離した後の一定期間の間に、基準値（Ｚ値）より下回った場合は、ユーザが電極を握って離した動作がユーザの携帯端末１への入力操作である可能性が高いため、上記接触センサの基準レベル値の較正を行わないようにしてもよい。
【００９９】
図１４は、本実施形態の基準レベル値の較正を説明するためのフローチャートである。
【０１００】
ステップ（Ｓ５１）においては、第１接触センサおよび第２接触センサの出力値がそれぞれの接触センサの閾値を下回っている状態になったかを判断する。下回っている場合には、ステップ（Ｓ５２）に進み、第１接触センサおよび第２接触センサの出力値がそれぞれの接触センサの閾値を下回っている状態が所定期間以上かを判断する。所定期間以上である場合には、ステップ（Ｓ５３）に進み、第１接触センサおよび第２接触センサのそれぞれにおいて、ユーザの手が上記電極を握って離す動作中における上記接触センサの出力値の最低値と、上記接触センサの出力値の最高値と、の差Ａが、上記接触センサの基準レベル値を較正する基準値Ｂより大きいかを判断し、大きければ、対象となる接触センサの基準レベル値を較正するステップ（Ｓ５４）に進み、上記接触センサの基準レベル値を較正する。
【０１０１】
そして、ステップ（Ｓ５５）においては、上記接触センサの基準レベル値を較正した後に、第１接触センサおよび第２接触センサの出力値が、それぞれの接触センサの閾値を上回ったかを判断し、上回ってない場合には、上記接触センサの基準レベル値を較正する機能を有効にしたまま、再度、上記接触センサの基準レベル値を較正するかを判断するようになっている。
【０１０２】
上記構成によれば、複数の接触センサを有する情報処理装置においても、異常状態をユーザが意識することなく、使用できるとともに、誤動作を十分に防ぐことができる情報処理装置を実現できる。
【０１０３】
〔まとめ〕
本発明の態様１における情報処理装置は、上記ユーザが手で上記電極を握って離す動作を行うことで上記接触センサの基準レベル値を較正できる機能を有する基準レベル値の設定較正手段を備え、上記基準レベル値の設定較正手段は、上記接触センサから出力された出力値または、上記接触センサから出力された複数の出力値に基づいて、一定の値を有する上記接触センサの基準レベル値を設定するとともに、上記接触センサから出力された出力値が上記ユーザの手が上記電極へ接触したと判定される値となった場合に上記接触センサの基準レベル値を較正する機能を有効にし、上記ユーザが手で上記電極を握って離す動作中における上記接触センサの出力値の最高値と最低値との差が、所定値以上である場合には、上記接触センサから出力された出力値または、上記接触センサから出力された複数の出力値に基づいて、上記接触センサの基準レベル値を較正し、上記較正された接触センサの基準レベル値に基づいて設定された上記接触センサの閾値によって、上記ユーザの手の上記電極への接触有無を判定することを特徴としている。
【０１０４】
上記構成によれば、異常状態をユーザが意識することなく、使用できるとともに、誤動作を十分に防ぐことができる情報処理装置を実現できる。
【０１０５】
本発明の態様２における情報処理装置の上記基準レベル値の設定較正手段は、上記ユーザが手で上記電極を握って離したタイミングにおける上記接触センサの出力値が上記ユーザの手が上記電極から離れたと判定される値以上の場合には、上記接触センサの基準レベル値の較正を行わないことが好ましい。
【０１０６】
上記構成によれば、ユーザの手が電極から完全に離れた場合などの接触センサの基準レベル値の較正が不要な場合において、接触センサの基準レベル値を較正しないので、情報処理装置の処理負担を低減させることができる。
【０１０７】
本発明の態様３における情報処理装置の上記基準レベル値の設定較正手段は、上記接触センサから出力された出力値が上記ユーザの手が上記電極へ接触したと判定される値となったタイミングから所定期間と上記接触センサの基準レベル値を較正した後と上記接触センサの出力値が上記ユーザの手が上記電極から離れたと判定される値以上である場合との何れかには、上記接触センサの基準レベル値を較正する機能を無効にすることが好ましい。
【０１０８】
上記構成によれば、接触センサの基準レベル値の較正が不要な場合において、上記接触センサの基準レベル値を較正する機能を無効し、接触センサの基準レベル値を較正しないので、情報処理装置の処理負担を低減させることができる。
【０１０９】
本発明の態様４における情報処理装置は、上記ユーザが手で上記電極を握って離す動作中における上記接触センサの出力値の最高値と最低値とを決定する際には、所定時間当たりの上記接触センサの出力値の変化量について、正方向変動量と、上記正方向変動量と反対方向の負方向変動量とを定義した場合に、ユーザが手で電極を握って離す動作中における上記接触センサの出力値の最低値は、所定値以上の負方向変動量を有する上記接触センサの出力値中、最小の値であり、ユーザが手で電極を握って離す動作中における上記接触センサの出力値の最高値は、所定値以上の正方向変動量を有する上記接触センサの出力値中、最大の値であることが好ましい。
【０１１０】
本発明の態様５における情報処理装置の上記基準レベル値の設定較正手段は、上記ユーザが手で上記電極を握って離す動作中における上記接触センサの出力値の最高値と最低値との差が、所定値以上である場合に、上記ユーザが手で上記電極を握って離す動作後の所定期間内に、上記接触センサの出力値が上記ユーザの手が上記電極に接触したと判断される値を下回った場合には、上記接触センサの基準レベル値の較正を行わないことが好ましい。
【０１１１】
本発明の態様６における情報処理装置は、上記所定値以上の正方向変動量を有する上記接触センサの出力値が検出された後に上記所定値以上の負方向変動量を有する上記接触センサの出力値が検出された場合には、改めて上記接触センサの出力値の最高の値と最低の値とを決定することが好ましい。
【０１１２】
上記構成によれば、ユーザの情報処理装置への入力操作と接触センサの基準レベル値を較正する目的で行われるユーザが手で電極を握って離す動作とを区別することができる接触センサを備えた情報処理装置を実現できる。
【０１１３】
本発明の態様７における情報処理装置の制御方法は、上記接触センサから出力された出力値または、上記接触センサから出力された複数の出力値に基づいて、一定の値を有する上記接触センサの基準レベル値を設定する第１のステップと、上記接触センサから出力された出力値が上記ユーザの手が上記電極へ接触したと判定される値となった場合に上記接触センサの基準レベル値を較正する機能を有効にする第２のステップと、上記ユーザが手で上記電極を握って離す動作中における上記接触センサの出力値の最高の値と最低の値との差が、所定値以上である場合には、上記接触センサから出力された出力値または、上記接触センサから出力された複数の出力値に基づいて、上記接触センサの基準レベル値を較正する第３のステップと、上記較正された接触センサの基準レベル値に基づいて設定された上記接触センサの閾値によって、上記ユーザの手の上記電極への接触有無を判定する第４のステップと、を含むことを特徴としている。
【０１１４】
上記方法によれば、異常状態をユーザが意識することなく、使用できるとともに、誤動作を十分に防ぐことができる情報処理装置の制御方法を実現できる。
【０１１５】
本発明の態様８における情報処理装置においては、上記接触センサは複数個備えられていてもよい。
【０１１６】
上記構成によれば、異常状態をユーザが意識することなく、使用できるとともに、誤動作を十分に防ぐことができる情報処理装置を実現できる。
【０１１７】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１１８】
本発明は、接触センサを備える情報処理装置（スマートフォン、携帯電話、タブレット端末、リモコン、ドライヤーの他、掃除機やその他ハンドルで操作する情報処理装置など）に利用することができる。
【符号の説明】
【０１１９】
１              携帯端末（情報処理装置）
１１            接触センサ
２３            基準レベル値の設定較正部
【図１】
2015216431.tif 000003
【図２】
2015216431.tif 000004
【図３】
2015216431.tif 000005
【図４】
2015216431.tif 000006
【図５】
2015216431.tif 000007
【図６】
2015216431.tif 000008
【図７】
2015216431.tif 000009
【図８】
2015216431.tif 000010
【図９】
2015216431.tif 000011
【図１０】
2015216431.tif 000012
【図１１】
2015216431.tif 000013
【図１２】
2015216431.tif 000014
【図１３】
2015216431.tif 000015
【図１４】
2015216431.tif 000016
【図１５】
2015216431.tif 000017
【図１６】
2015216431.tif 000018